(57)【要約】【課題】浴室内に取り付けられる電子機器は防水ケーシング内に電子部品が収納されている。また、電子機器である浴室テレビでは内蔵されている表示画面を外部から鑑賞するために、ケーシングの前面に表示窓を開設すると共にその表示窓を透明な表示板で閉塞している。この表示板をケーシング本体に対して接着剤で取り付けると、接着剤の硬化時間が必要であるし、両面テープでは表示窓に相当する部分を打ち抜いて捨てるため両面テープのロスが大きい。【解決手段】表示板の前方からレーザー光を照射して表示板とケーシング本体とを相互に溶着させた。なお、溶着部分が前方から見えると外観が損なわれるので、ケーシング本体に取り付けられるカバーで溶着部分を覆い隠すようにした。【選択図】  図２
2008212435.tif 000002
【特許請求の範囲】
【請求項１】
浴室に設置される電子機器の防水ケーシングであって、ケーシング本体の前面に、内部の表示部が臨む表示窓が開設されると共に、この表示窓を外側から透明な表示板で水密に閉塞したものにおいて、表示板の外周を全周にわたって１段下げて溶着部を形成すると共に、この溶着部とケーシング本体との接触面に外部から与えるエネルギを集中させ、その集中した部分のケーシング本体および溶着部を共に溶融させてケーシング本体と表示板とを溶着させ、更に溶着部をカバーで覆って隠したことを特徴とする防水ケーシング。
【請求項２】
上記外部からのエネルギはレーザ光、もしくは振動によって与えられることを特徴とする請求項１に記載の防水ケーシング。
【発明の詳細な説明】
【技術分野】
【０００１】
本発明は、浴室に設置される電子機器の防水ケーシングに関する。
【背景技術】
【０００２】
浴室に設置される電子機器として、例えば浴室テレビでは内部に水が侵入しないように防水性を備えた防水ケーシングの中に電子部品や画像表示部が収納されている。これらの電子部品等は外部から見えると外観を損なうので一般に防水ケーシングは不透明の樹脂で形成されている。但し、画像表示部は外部から鑑賞できなければいけないので、ケーシング本体の前面に表示窓を開設している。なお、この表示窓から水等がケーシング内に侵入することを防止するために、透明な表示板でこの表示窓を水密に閉塞している。
【０００３】
ケーシング本体に表示板を固定する手段としては表示板をケーシング本体に対して接着剤を用いて接着して固定するものが知られている（例えば、特許文献１参照）。
【特許文献１】特開２００４−２０８０４６号公報（段落番号００１０）
【発明の開示】
【発明が解決しようとする課題】
【０００４】
上記従来のものでは、表示板をケーシング本体に固定する手段として接着剤を用いているので、接着剤を塗布したあと、接着剤が硬化するまでケーシングをストックする必要があり、生産性が損なわれるという意問題が生じる。
【０００５】
なお、接着剤の代わりに両面テープを用いるものも知られているが、表示板とケーシング本体との間の防水性を確保するため、両面テープは連続した１枚のものを使用しなければならない。ところが、表示窓に相当する部分は表面テープが不要であるので、表示窓に相当する部分を打ち抜く必要があり、打ち抜いた部分を廃棄するので両面テープのコストが高くなり、かつ資源を無駄に浪費するという不具合が生じる。
【０００６】
そこで本発明は、上記の問題点に鑑み、接着剤のように硬化するための時間を必要とせず、かつ廃棄される資材が極めて少ない防水ケーシングを提供することを課題とする。
【課題を解決するための手段】
【０００７】
上記課題を解決するために本発明による防水ケーシングは、浴室に設置される電子機器の防水ケーシングであって、ケーシング本体の前面に、内部の表示部が臨む表示窓が開設されると共に、この表示窓を外側から透明な表示板で水密に閉塞したものにおいて、表示板の外周を全周にわたって１段下げて溶着部を形成すると共に、この溶着部とケーシング本体との接触面に外部から与えるエネルギを集中させ、その集中した部分のケーシング本体および溶着部を共に溶融させてケーシング本体と表示板とを溶着させ、更に溶着部をカバーで覆って隠したことを特徴とする。
【０００８】
外部からのエネルギを集中させてケーシング本体や表示板の一部を溶融すると、要するされる範囲を非常に狭く限定することができる。すなわち、たとえ高温に加熱することができても範囲が狭いので、エネルギ量は少なく、外部からのエネルギ供給を停止すれば直ちに冷却されて、溶融された部分が硬化する。したがって、従来の接着剤を用いるもののように接着剤が硬化するまでの時間を必要とせず、短時間で表示板をケーシング本体に固定することができる。なお、溶着した部分が外部から見えるとデザインを損なうので、カバーで溶着部を隠すようにした。
【０００９】
なお、上記外部からのエネルギはレーザ光、もしくは振動によって与えられることができる。すなわち、レーザー光であればケーシングと表示板とが接触している部分に焦点が合うようにすればよく、また超音波溶着や振動溶着のように振動によりエネルギを供給するものでは、エネルギが集中するエネルギーダイレクターを溶着したい部分に設ければよい。
【発明の効果】
【００１０】
以上の説明から明らかなように、本発明は、外部からのエネルギを集中させてケーシング本体の表示板の一部を狭い範囲で溶融させて相互に溶着させるので、接着剤が硬化するための時間などが不要で、短時間で表示板をケーシング本体に固定することができる。なお、溶着した部分は前方から識別でき、外観が損なわれるが、カバーで溶着部を覆い隠すことにより外観が損なわれることを防止できる。
【発明を実施するための最良の形態】
【００１１】
図１を参照して、１は浴室ＢＲの壁部Ｗに固定される浴室用の電子機器である浴室テレビである。この浴室テレビ１は内部に液晶表示部を備えており、その液晶表示部に表示されるテレビ画像を鑑賞し得るように構成されている。
【００１２】
図２を参照して、この浴室テレビ１には不透明な樹脂で形成された防水性のケーシング本体３を備えており、そのケーシング本体３の左右に１対のスピーカカバー２１と、中央部の上下に上カバー２２と下カバー２３とが着脱自在に取り付けられている。
【００１３】
これら４つのカバーで囲まれる位置に、表示窓３１がケーシング本体３に開設されている。そしてその表示窓３１に内側から臨むように液晶表示部が配置されている。したがって、液晶表示部に表示されるテレビ画像はこの表示窓３１を通して前方から鑑賞することができる。
【００１４】
表示窓３１には前方から表示板４が固定されており、表示窓３１が外部に対して密閉されている。この表示板４は透明なアクリル板で形成されており、上下左右の外周の４辺に各々１段下がった溶着部４１が形成されている。そして、この溶着部４１に対応する位置であって、表示板４とケーシング本体３との合わせ部分が溶着部分５となり、表示板４とケーシング本体３とがこの溶着部分５で相互に溶着されている。
【００１５】
さらに、図３を参照して、表示板４をケーシング本体３に対して位置決めした状態で、溶着部４１に対してレーザー光６１を照射する。なお、このレーザー光６１は集光レンズ６によって上記溶着部分５に集光されるように調節されている。
【００１６】
表示板４は透明であるので、レーザー光６１は溶着部４１から表示板４内に入射しても、表示板４で吸収されることなくケーシング本体３の表面に到達する。ケーシング本体３は不透明であるので、到達したレーザー光６１を吸収してその部分で発熱する。すると、ケーシング本体３のレーザー光６１が照射されている部分が溶融知ると共に、隣設する表示板４の一部も溶融する。そして両者は混ざり合い、その後冷却されることにより溶着され、溶着部分５が形成される。
【００１７】
なお、レーザー光６１は上述のように、溶着部４１に沿って走査されるので、溶着部分５は連続して形成され、溶着部分５で表示窓３１を囲うことになる。これにより、表示板４とケーシング本体３との間に水が侵入することがなく、表示窓３１の防水性が確保される。
【００１８】
上述の実施の形態では、レーザー光６１を表示板４側から照射した。一方、ケーシング本体３が不透明であっても可視光線を吸収するだけでレーザー光６１を透過する場合がある。このような場合には溶着部分５にレーザー光６１を吸収する塗料を、表示板４の裏面、もしくはケーシング本体３の表面に塗布しておけばよい。また、ケーシング本体３がレーザー光６１を透過するのであれば、ケーシング本体３側からケーシング本体３を透過するようにレーザー光６１を照射してもよい。
【００１９】
ところで、溶着部分５はそのままでは前方から識別することができ、外観が損なわれる。そこで、上記４つのカバーを取り付けると、各カバーの内側端縁が溶着部４１を前方から覆い、溶着部分５がカバーで隠されて前方から識別されないようにした。
【００２０】
以上は、外部からのエネルギとしてレーザー光６１を用いたものであるが、超音波溶着や振動溶着のように、振動エネルギを外部から供給して溶着してもよい。
【００２１】
例えば超音波溶着であれば、図４を参照して、表示板４の裏面にエネルギーダイレクターとして機能する突起４２を全周にわたって設け、超音波振動しに連結されたコーン７を溶着部４１に当接して超音波溶着を行ってもよい。そして、接合面に対して平行方向に振動を加える振動溶着も用いることができる。
【００２２】
なお、本発明は上記した形態に限定されるものではなく、本発明の要旨を逸脱しない範囲内において種々の変更を加えてもかまわない。
【図面の簡単な説明】
【００２３】
【図１】本発明の一実施の形態の構成を示す図
【図２】浴室テレビのカバーの状態を示す図
【図３】III-III断面図
【図４】超音波溶着を用いた場合のIII-III断面図
【符号の説明】
【００２４】
１ 浴室テレビ
３ ケーシング本体
４ 表示板
５ 溶着部分
６ 集光レンズ
２１ スピーカカバー
２２ 上カバー
２３ 下カバー
３１ 表示窓
４１ 溶着部
６１ レーザー光
ＢＲ 浴室
Ｗ 壁部
【図１】
2008212435.tif 000003
【図２】
2008212435.tif 000004
【図３】
2008212435.tif 000005
【図４】
2008212435.tif 000006